(57)【要約】【課題】ソファーやベッドに変換して利用することができる数を増大できるソファーベッド装置を提供すること。【解決手段】一列に並設された第１乃至第６のクッション体１〜６を有し、並設方向中央に位置する第１のクッション体と第２のクッション体は隣接箇所の厚さ方向一方の面が屈曲可能に連結され、第３のクッション体と第４のクッション体は、隣接箇所の厚さ方向一方の面が屈曲可能に連結されて第１のクッション体側に配置され、第３のクッション体の厚さ方向他方の面が第１のクッション体の他方の面に屈曲可能に連結され、第５のクッション体と第６のクッション体は、隣接箇所の厚さ方向一方の面が屈曲可能に連結されて第２のクッション体側に配置され、第５のクッション体の厚さ方向他方の面が第２クッション体の他方の面に屈曲可能に連結された構成である。【選択図】  図１
2020130556.tif 000002
【特許請求の範囲】
【請求項１】
互いの側面を隣接させて一列に並設された少なくとも第１乃至第６のクッション体を有し、
並設方向中央に位置する前記第１のクッション体と前記第２のクッション体は隣接箇所の厚さ方向一方の面が屈曲可能に連結され、
前記第３のクッション体と前記第４のクッション体は、隣接箇所の厚さ方向一方の面が屈曲可能に連結されて前記第１のクッション体側に配置され、前記第３のクッション体の厚さ方向他方の面が前記第１のクッション体の他方の面に屈曲可能に連結され、
前記第５のクッション体と前記第６のクッション体は、隣接箇所の厚さ方向一方の面が屈曲可能に連結されて前記第２のクッション体側に配置され、前記第５のクッション体の厚さ方向他方の面が前記第２クッション体の他方の面に屈曲可能に連結された構成であることを特徴とするソファー兼用ベッド装置。
【請求項２】
前記第１のクッション体と前記第２のクッション体は同じ長さ寸法に設定され、前記第３乃至第６のクッション体の長さ寸法は前記第１、第２のクッション体の長さ寸法の半分に設定されていることを特徴とする請求項１記載のソファー兼用ベッド装置。
【請求項３】
前記第１のクッション体と前記第２のクッション体を並設し、前記第１のクッション体の幅方向一端側の上面に前記第３、第４のクッション体を重ねて折り畳み、前記第２のクッション体の幅方向他端側の上面に前記第５、第６のクッション体を重ねて折り畳むことで、前記第１のクッション体と前記第２のクッション体を座部とし、前記第３、第４のクッション体及び前記第５、第６のクッション体をそれぞれ肘掛けとしてソファーに変換されることを特徴とする請求項１又は請求項２記載のソファー兼用ベッド装置。
【発明の詳細な説明】
【技術分野】
【０００１】
この発明はソファーとベッド装置とのいずれかに変換して利用することのできるソファー兼用ベッド装置に関する。
【背景技術】
【０００２】
従来、複数のクッション体を折り畳み可能に連結し、所定の折り畳み形状とすることでソファーに変換して利用したり、ベッド装置に変換して利用することができるソファー兼用ベッド装置が知られている。
【０００３】
従来のソファー兼用ベッド装置としては特許文献１−３に示され構造が知られている。
【先行技術文献】
【特許文献】
【０００４】
【特許文献１】実公昭５２−３６７３２号公報
【特許文献２】実公昭４７−２９７８４号公報
【特許文献３】実公昭６３−１０７７９号公報
【発明の概要】
【発明が解決しようとする課題】
【０００５】
しかしながら、従来のソファー兼用ベッド装置は、特許文献１−３に示されているようにソファーやベッド装置に変換することができる形態数が少ないため、利用者の種々の要求に十分に対応することができないということがあった。
【０００６】
この発明は、ソファーの状態やベッド装置の状態に変換して利用することができる形態数を増大させ、利用者の要求に対して十分に対応できるようにしたソファー兼用ベッド装置を提供することにある。
【課題を解決するための手段】
【０００７】
この発明は、互いの側面を隣接させて一列に並設された少なくとも第１乃至第６のクッション体を有し、
並設方向中央に位置する前記第１のクッション体と前記第２のクッション体は隣接箇所の厚さ方向一方の面が屈曲可能に連結され、
前記第３のクッション体と前記第４のクッション体は、隣接箇所の厚さ方向一方の面が屈曲可能に連結されて前記第１のクッション体側に配置され、前記第３のクッション体の厚さ方向他方の面が前記第１のクッション体の他方の面に屈曲可能に連結され、
前記第５のクッション体と前記第６のクッション体は、隣接箇所の厚さ方向一方の面が屈曲可能に連結されて前記第２のクッション体側に配置され、前記第５のクッション体の厚さ方向他方の面が前記第２のクッション体の他方の面に屈曲可能に連結された構成であることを特徴とするソファー兼用ベッド装置にある。
【発明の効果】
【０００８】
この発明によれば、第１、第２のクッション体を挟んで一端側に第３、第４のクッション体が配置され、他端側に第５、第６のクッション体が配置されていて、隣り合う各クッション体がそれぞれ交互の方向に屈曲可能に連結されている。
【０００９】
それによって、６つのクッション体の屈曲状態を種々変化させて重ねるなどすることで、複数のソファー或いはベッド装置に変換することが可能となるから、利用者の要求に応じて種々の形態のソファーやベッド装置として利用することができる。
【図面の簡単な説明】
【００１０】
【図１】（ａ）はソファーベッド装置の平面図、（ｂ）は同じく側面図。
【図２】（ａ）はソファーベッド装置を第１の形態のソファーに変換する過程を示す図、（ｂ）は第１の形態のソファーに変換された状態を示す図。
【図３】（ａ）はソファーベッド装置を第２の形態のソファーに変換した状態を示す正面図、（ｂ）は同じく利用者が利用した状態を示す側面図。
【図４】ソファーベッド装置を第３の形態のソファーに変換して利用者が利用した状態を示す側面図。
【図５】ソファーベッド装置を第１の形態のベッド装置に変換して利用者が利用した状態を示す側面図。
【図６】ソファーベッド装置を第２の形態のベッド装置に変換して利用者が利用した状態を示す側面図。
【図７】ソファーベッド装置を第３の形態のベッド装置に変換して利用者が利用した状態を示す側面図。
【図８】ソファーベッド装置をカウチに変換して利用者が利用した状態を示す側面図。
【図９】マットレスを圧縮して梱包した状態を示す斜視図。
【発明を実施するための形態】
【００１１】
以下、この発明の一実施の形態を図１乃至図９を参照しながら説明する。  
【００１２】
図１（ａ）はソファーベッド装置の平面図、同じく（ｂ）は正面図である。前記ソファーベッド装置は並設された第１乃至第６のクッション体１〜６からなるマットレスＭによって構成されている。
【００１３】
各クッション体１〜６は、詳細は図示しないが、ウレタンフォームなどの圧縮可能な弾性材料を所定の厚さを有する矩形状に形成し、その弾性材料を外装地によって被覆して形成されている。
【００１４】
前記マットレスＭの長手方向の中央部分には、前記第１のクッション体１と前記第２のクッション体２とが前記長手方向に沿う互いの一側面を接合させて配置されている。これら第１のクッション体１と第２のクッション体２は、接合させた一側面の図１（ｂ）における厚さ方向の上面である、厚さ方向一方の面の両端部が第１の連結部１１によって屈曲可能に連結されている。
【００１５】
前記第１のクッション体１の他側面には、前記第３のクッション体３と第４のクッション体４が順次一側面を接合させて配置されている。前記第３のクッション体３は前記第１のクッション体１に対して厚さ方向の下側の面である、厚さ方向の他方の面が第２の連結部１２によって屈曲可能に連結され、前記第４のクッション体４は前記第３のクッション体３に対して厚さ方向の上面である一方の面が第３の連結部１３によって屈曲可能に連結されている。
【００１６】
前記第２のクッション体２の他側面には前記第５のクッション体５と第６のクッション体６が順次、一側面を接合させて配置されている。前記第５のクッション体５は前記第２のクッション体２に対して厚さ方向の下側の面である、厚さ方向の他方の面が第４の連結部１４によって屈曲可能に連結され、前記第６のクッション体６は前記第５のクッション体５に対して厚さ方向の上面である、厚さ方向の一方の面が第５の連結部１５によって屈曲可能に連結されている。
【００１７】
なお、この実施の形態では、前記第１乃至第６のクッション体１〜６は幅寸法が約８５０ｍｍに設定され、厚さ寸法は１２５ｍｍに設定されている。前記第１、第２のクッション体１，２の長さ寸法は前記第３乃至第６のクッション体３〜６の長さ寸法の２倍に設定されている。
【００１８】
この実施の形態では前記第１、第２のクッション体１，２の長さ寸法は５００ｍｍ、前記第３乃至第６のクッション体３〜６の長さ寸法は２５０ｍｍに設定されている。それによって、前記マットレスＭの全長は２ｍになっている。
【００１９】
そして、前記第１乃至第６のクッション体１〜６は、上述したように前記第１乃至第５の連結部１１〜１５によって厚さ方向の一方の面と他方の面とが交互に連結されている。
【００２０】
つぎに、上述した構成の前記ソファーベッド装置の使用例を図２乃至図８を参照しながら説明する。  
【００２１】
図２（ａ），（ｂ）は前記ソファーベッド装置を構成する前記マットレスＭを第１の形態のソファーＳ１として利用する場合であって、まず、図２（ａ）に示すように前記第１のクッション体１の上面に前記第２のクッション体２が重なるよう、前記マットレスＭを半分に折り曲げた後、前記第３、第４のクッション体３，４に重なった第５、第６のクッション体５，６を上方へ折り曲げる。
【００２２】
前記第５、第６のクッション体５，６を上方へ折り曲げた状態で、図２（ｂ）に示すように前記第４のクッション体４を前記第３のクッション体３の上面に重なるよう折り曲げた後、前記第６のクッション体６の一方の面が前記第５のクッション体５の一方の面に接合するよう前記第６のクッション体６を折り曲げる。
【００２３】
ついで、前記第５、第６のクッション体５，６を、これらの側面が前記第４のクッション体４の図２（ｂ）における上面（他方の面）に支持されるよう載置する。
【００２４】
それによって、図２（ｂ）に示すように前記マットレスＭを第１の形態のソファーＳ１に変換することができるから、利用者Ｕは座部となった前記第２のクッション体２上に着座し、背部となった前記第５、第６のクッション体５，６に寄り掛かることができる。
【００２５】
なお、前記マットレスＭを第１の形態のソファーＳ１に変換した場合、利用者Ｕが寄り掛かる、背部となった前記第５のクッション体５と前記第６のクッション体６とを図示しないカバーによって一体的に覆うようにしてもよい。  
【００２６】
そのようにすれば、利用者Ｕが前記第５、第６のクッション体５，６に寄り掛かったとき、これら第５，６のクッション体５，６が前記第４のクッション体４上でずれ動き難いよう保持することができる。
【００２７】
図３（ａ）、（ｂ）は前記マットレスＭを第２の形態のソファーＳ２として利用する場合である。すなわち、水平に展開させた状態にある前記マットレスＭの、前記第１のクッション体１の上面に、前記第３のクッション体３と前記第４のクッション体４を順次折り曲げて重合する。ついで、前記第２のクッション体２の上面に、前記第５のクッション体５と前記第６のクッション体６を順次折り曲げて重合する。
【００２８】
それによって、前記第１のクッション体１と前記第２のクッション体２とがなす、座面となる平面の幅方向の一方の端部に前記第３のクッション体３と第４のクッション体４が重合して位置し、他方の端部に、前記第５のクッション体５と第６のクッション体６が重合して位置する状態となる。それによって、前記マットレスＭが第２の形態のソファーＳ２に変換されることになる。
【００２９】
このように変換された前記第２の形態ソファーＳ２は、並設された前記第１のクッション体１と第２のクッション体２とがなす座面の長手方向の一端部に重合された前記第３のクッション体３と第４のクッション体４が位置し、他端部に前記第５のクッション体５と第６のクッション体６端部に位置することになる。
【００３０】
したがって、図３（ｂ）に示すように利用者Ｕが壁面Ｗに寄り掛かりながら、前記第１のクッション体１と前記第２のクッション体２とがなす座面に足を投げ出して着座したとき、前記第１のクッション体１と前記第２のクッション体２とが座面の一端部と他端部とにそれぞれ重合して位置する前記第３、第４のクッション体３，４及び前記第５、第６のクッション体５，６を肘掛けとして利用することができる。
【００３１】
図４は前記マットレスＭを第３の形態のソファーＳ３として利用する場合で、水平に展開した状態にある前記マットレスＭを、前記第１のクッション体１の上面に前記第２のクッション体２が重合するよう、２つに折り曲げる。ついで、前記第２のクッション体２の上面に、前記第５のクッション体５と第６のクッション体６を順次折り曲げて重合する。
【００３２】
それによって、前記第３の形態のソファーＳ３を利用する場合、利用者Ｕは前記第３のクッション体３と第４のクッション体４を着座する座部として利用することができ、前記第１のクッション体１に重合した前記第２のクッション体２及び前記第５、第６のクッション体５，６を背部として利用することができる。
【００３３】
図５は前記マットレスＭの前記第１乃至第６のクッション体１〜６を水平に展開した状態で、第１の形態のベッドＢ１として利用する場合で、利用者Ｕは前記第１乃至第６のクッション体１〜６がなす平面全体をベッド面として利用することができる。
【００３４】
図６は、前記マットレスＭの前記第４のクッション体４を折り曲げて前記第３のクッション体３の上面に重ねることで、第２の形態のベッドＢ２として利用する場合で、利用者Ｕは前記第３のクッション体３に重合された前記第４のクッション体４を枕として利用し、前記第１、第２、第５及び第６のクッション体１，２，５及び６の一方の面がなす平面をベッド面として利用することができる。
【００３５】
図７は前記マットレスＭの前記第４のクッション体４を折り曲げて前記第３のクッション体３の上面に重ねるとともに、前記第６のクッション体６を折り曲げて前記第５のクッション体５に重合することで、第３の形態のベッドＢ３として利用する場合である。
【００３６】
この場合、利用者Ｕは第１のクッション体１と第２のクッション体２との一方の面である上面をベッド面として利用することができるとともに、頭部を前記第４のクッション体４に載せ、この第４のクッション体４を枕として利用でき、前記第６のクッション体６に足部を載せ、足部を持ち上げた楽な姿勢を取ることができる。
【００３７】
図８は、前記マットレスＭの前記第１のクッション体１の上面に前記第３のクッション体３を折り曲げて重合した後、この第３のクッション体３の上面に前記第４のクッション体４を折り曲げて重ねることで、第１の形態のカウチＣとして利用する場合である。
【００３８】
この場合、利用者Ｕは前記第１、第２、第５及び第６のクッション体１，２，５及び６がなす平面をなす一方の面に下半身を伸ばして着座し、前記第３、第４のクッション体３，４に寄り掛かって利用することができる。
【００３９】
前記マットレスＭを構成する前記第１乃至第６のクッション体１〜６は、圧縮可能な弾性材料によって形成されている。そのため、前記マットレスＭは図９に示すように厚さ方向に圧縮した状態でロール状に巻き、その状態で気密性の合成樹脂によって形成された袋体２１内に収容する。その後、前記袋体２１の内部を減圧して密閉することで、搬送し易いよう小さな荷姿に梱包することができる。
【００４０】
このように、上述した構成のマットレスＭは、第１乃至第６のクッション体１〜６に分割し、前記第１、第２のクッション体１，２を前記マットレスＭの長手方向の中央に配置し、前記第１のクッション体１側に前記第３、第４のクッション体３，４を順次配置し、前記第２のクッション体２側に前記第５、第６のクッション体５，６を順次配置した。
【００４１】
そして、前記第１乃至第６のクッション体１〜６は、隣り合う側面の上下方向の一方の面（上面）と他方の面（下面）とを、前記第１乃至第５の連結部１１〜１５によって交互に屈屈曲可能に連結した。
【００４２】
さらに、前記第１、第２のクッション体１，２のそれぞれの長さ寸法を、前記第３乃至第６のクッション体６のそれぞれの長さ寸法の２倍に設定した。
【００４３】
そのため、このような構成の前記マットレスＭからなるソファーベッド装置によれば、上述したように複数の形態のソファーや複数の形態のベッドに変換して利用することができる。しかも、図８に示すようにカウチに変換して利用することもできる。
【００４４】
すなわち、ソファーやベッドに変換することができる形態の数を従来のソファーベッド装置に比べて増大させることができるから、利用者の好みに応じた形態に変形させて利用できるという利点を有する。
【００４５】
なお、上述した実施の形態では６つのクッション体を一列に配置して屈曲可能に連結するようにしたが、クッション体の数は限定されず、５つ以下或いは７つ以上であっても差し支えない。
【００４６】
また、１つのクッション体を２つ或いはそれ以上に折り曲げ可能な構成にし、そのような構成のクッション体を１つ或いはそれ以上用いることで、クッション体の数に限定されずに、ソファー或いはベッド装置に変換できる形態の数を変えるようにしてもよい。
【符号の説明】
【００４７】
１…第１のクッション体、２…第２のクッション体、３…第３のクッション体、４…第４のクッション体、５…第５のクッション体、６…第６のクッション体、１１…第１の連結部、１２…第２の連結部、１３…第３の連結部、１４…第４の連結部、１５…第５の連結部。
【図１】
2020130556.tif 000003
【図２】
2020130556.tif 000004
【図３】
2020130556.tif 000005
【図４】
2020130556.tif 000006
【図５】
2020130556.tif 000007
【図６】
2020130556.tif 000008
【図７】
2020130556.tif 000009
【図８】
2020130556.tif 000010
【図９】
2020130556.tif 000011